(57)【要約】【課題】  ＤＭＤなどの、光の反射方向を変えて画像を生成する複数の素子を備えた光変調器に適した、コンパクトで、広角の投写用レンズシステムを提供する。【解決手段】  スクリーン９の側から、負の第１のレンズ群Ｇ１と、正の第２のレンズ群Ｇ２を配置し、入射側を非テレセントリックとし、さらに、第２のレンズ群Ｇ２のスクリーン９の側に、接合面が逆方向を向いた、屈折力が正の２枚貼合わせレンズＤ１およびＤ２のペアＰＬを配置し、ライトバルブ２の側に、屈折力が正の３枚貼合わせレンズＴＬを配置する。この構成により、像面湾曲を効果的に補正することができるので、コンパクトで、半画角が４７度以上の広角な投写レンズシステム５を提供できる。【選択図】        図２
2006215476.tif 000002
【特許請求の範囲】
【請求項１】
光変調器からの投影光をスクリーンに投写する投写用レンズシステムであって、
前記スクリーンの側から順に、負の屈折力の第１のレンズ群と、正の屈折力の第２のレンズ群とで構成され、入射側が非テレセントリックであり、
前記第２のレンズ群は、接合面が逆方向を向いた屈折力が正の２枚貼合わせレンズのペアと、屈折力が正の３枚貼合わせレンズとを含んでいる、投写用レンズシステム。
【請求項２】
請求項１において、前記２枚貼合わせレンズのペアは前記スクリーン側に配置されている、投写用レンズシステム。
【請求項３】
請求項２において、前記３枚貼合わせレンズの入射側に、屈折力が正の２枚貼合わせレンズが配置されている、投写用レンズシステム。
【請求項４】
請求項１ないし３のいずれかにおいて、前記第１のレンズ群の最も前記スクリーン側の第１のレンズは、負の非球面プラスチックレンズであり、その焦点距離ｆ１１と、当該投写用レンズシステムの合成焦点距離ｆｗとが次の式を満たす投写用レンズシステム。
｜ｆ１１／ｆｗ｜  ＜０．１
【請求項５】
請求項１ないし４のいずれかにおいて、光の反射方向を変えて画像を生成する複数の素子を備えた前記光変調器からの前記投影光を前記スクリーンに投写する、投写用レンズシステム。
【請求項６】
請求項１ないし５のいずれかに記載の投写用レンズシステムと、前記光変調器と、この光変調器に光を照射する光照射系とを有するプロジェクタ装置。
【発明の詳細な説明】
【技術分野】
【０００１】
本発明は、ライトバルブに表示された像をスクリーンに拡大投影するプロジェクタ装置の投写用レンズシステムに関するものである。
【背景技術】
【０００２】
従来、プロジェクタの光変調器（ライトバルブ）として液晶パネルが多く用いられてきた。近年、液晶パネルに代わり、マイクロマシン技術を用いて機械的に光の反射方向を変えて画像を形成する複数の素子を備えた装置が実用化されている。微小な鏡面素子（マイクロミラー）を画素に対応させてアレイ状に並べ、それぞれの鏡面の角度を制御することにより画像を表示するＤＭＤ（デジタルミラーデバイス、箔変形デバイスあるいはディスプレイ）はその１つである。このマイクロミラーで画素を構成する光変調器は、液晶パネルより応答速度が速く、明るい画像が得られるので、小型で高輝度、高画質のプロジェクタを実現するのに適している。
【特許文献１】特開２０００−３３８４４８号公報
【発明の開示】
【発明が解決しようとする課題】
【０００３】
ダイクロイックプリズムの高い色分離特性を得るため、液晶の表示特性から明るい画像を得るためなどの理由により、投写用レンズシステムの入射側は通常はテレセントリックになるように設計される。これに対し、ダイクロイック膜に起因するゴーストや色むらを抑制するために、非テレセントリックな投写系を採用することも提案されている。
【０００４】
ＤＭＤをライトバルブとして用いて時分割でカラー表示するようなプロジェクタにおいては、照明系と協調することにより、非テレセントリックな光学系を投写用レンズシステムに採用することができる。非テレセントリックな光学系を採用することにより、ライトバルブ側のレンズ群を小口径にできるので、レンズシステム全体をコンパクトにできる。スクリーン側から屈折力が負−正の２群構成の、いわゆるレトロフォーカスタイプのレンズシステムは入射側となる縮小側のバックフォーカスを長くしやすく、テレセントリックにし易いのでプロジェクタレンズとして多く採用されている。このタイプは、また、画角も大きくしやすいので、非テレセントリックな光学系にも適しているが、その場合、テレセントリックな光学系に比較すると像高の影響が大きくなるので収差の補正は難しくなる。
【０００５】
さらに、家庭用の電化製品としては、スクリーンとプロジェクタとの距離の小さなコンパクトなシステムで大画面を見たいという要望がある。特に、スクリーンが一体化したリアプロジェクタに採用されるレンズシステムは広角で、さらにコンパクトであることが要求される。入射側が非テレセントリックなプロジェクタレンズは、全体をコンパクトに纏めることができ、投写側のレンズ群をスクリーン側の瞳位置に近づけることにより画角が大きい広角なレンズシステムを得ることができる。しかしながら、入射側が非テレセントリックであることに加えて、スクリーン側が広角になればなるほど像高の変化に伴う像面湾曲を補正することが難しくなる。像面湾曲を補正するためには、ペッツバール和を小さく補正する必要があるが、そのためには、凸面に対して、十分な曲率の凹面を配置したり、凹凸レンズの間に距離を確保したりする必要があり、レンズ枚数が増え、レンズシステムが長くなる。
【０００６】
コンパクトで広角なレンズシステムとしては、スクリーン側から負−正の簡易な組み合わせを採用することが望ましい。また、スクリーン側の負レンズは、レンズシステムの中で最も口径が大きくなり、特に、画角を大きくしようとするとさらに口径が大きくなる。したがって、曲率の大きな面を採用すると、設計が困難となり、製造も難しくなる。また、口径が大きなレンズはコストおよび重量を考えると、プラスチックレンズを採用することが好まれるが、温度の影響が大きく表れることになる。したがって、スクリーン側の第１のレンズ群により収差補正に十分なパワーを確保することは難しい。一方、ライトバルブ側の第２のレンズ群に多くの凹凸レンズを採用し、それらの間に距離を確保するとなると、負−正−負−正などの多群構成になってしまい、コンパクトなレンズシステムを実現できない。
【０００７】
そこで、本発明においては、入射側が非テレセントリックなレンズシステムにおいて、２群構成のコンパクトで広角なレンズシステムを提供することを目的としている。そして、さらにコンパクトで、鮮明な画像を表示できるプロジェクタ装置を提供することを目的としている。
【課題を解決するための手段】
【０００８】
本発明においては、光変調器からの投影光をスクリーンに投写する投写用レンズシステムであって、スクリーンの側から順に、負の屈折力の第１のレンズ群と、正の屈折力の第２のレンズ群とで構成され、入射側が非テレセントリックであり、第２のレンズ群は、接合面が逆方向を向いた屈折力が正の２枚貼合わせレンズのペアと、屈折力が正の３枚貼合わせレンズとを含んでいる投写用レンズシステムを提供する。ペッツバール和を小さくして像面湾曲を補正するためには、凹凸レンズを、距離を開けて配置することが望ましいが、レンズ枚数が多くなるし、全長も長くなる。このため、本発明においては、第２のレンズ群は、接合面が逆方向を向いた屈折力が正の２枚貼合わせレンズのペアと、屈折力が正の３枚貼合わせレンズとを含むようにしている。
【０００９】
接合面が逆方向を向いた屈折力が正の２枚貼合わせレンズのペアは、レンズのパワーとしては正なので、正の第２のレンズ群を構成するのに適当であり、貼合わせレンズの内部に備えた逆方向を向いた面の曲率をある程度大きくすることによりペッツバール和を効果的に小さくできる。さらに、２枚貼合わせレンズのペアは色収差の補正能力が高く、また、対称的なレンズ配置になるのでコマ収差などの他の諸収差の補正にも適している。屈折力が正の３枚貼合わせレンズは、トリプレットを構成するレンズを貼り合わせた構成となり、レンズのパワーとしては正なので、正の第２のレンズ群を構成するのに適当である。さらに、貼合わせレンズの内部に逆方向を向いた曲率の大きな面を形成できるので、コンパクトなレンズでペッツバール和を効果的に小さくできる。さらに、貼合わせレンズなので色収差の補正能力は高く、また、対称的なレンズ配置になるのでコマ収差などの他の諸収差の補正にも適している。
【００１０】
このように本発明のレンズシステムにおいては、第２のレンズ群に、正の２枚貼合わせレンズのペアと、正の３枚貼合わせレンズとを含めることにより、第２のレンズ群の全長を増加させないようにして、像面湾曲を含む収差補正能力を大幅に向上している。したがって、入射側が非テレセントリックであることを活かしたコンパクトで高画角のレンズシステムを提供できる。特に、２枚貼合わせレンズのペアはスクリーン側に配置されていることが望ましく、反対に、３枚貼合わせレンズはライトバルブ側に配置されていることが望ましい。第２のレンズ群のスクリーン側は、第１のレンズ群の入射側として、口径が若干大きくなり、また、軸外光線が光軸から離れる。したがって、ダブレットによる色収差の補正に適した条件になっており、また、３枚貼合わせレンズに比べて、２枚貼合わせレンズの口径を大きくした方が経済的である。
【００１１】
一方、第２のレンズ群のライトバルブ側は、入射側が非テレセントリックなのでレンズ口径を小さくすることができ、光軸の周辺に光線が集まる。したがって、曲率の大きな凹凸面を配置することにより、コンパクトなレンズによりペッツバール和を効果的に小さくできるので、３枚貼合わせレンズをこの位置に配置することが収差補正の点からも、経済的な点からも望ましい。さらに、３枚貼合わせレンズは、ゴーストの発生を防止でき、軸上および倍率色収差を効果的に補正できる。
【００１２】
３枚貼合わせレンズの入射側は、ライトバルブから入射した光線が光軸上に集まる途上なので、軸外光線が光軸から離れた状態にある。したがって、この位置に、屈折力が正の２枚貼合わせレンズを配置することにより、色収差をさらに良好に補正すると共に、凹凸面を増やしてペッツバール和を小さくする効果を得ることができる。
【００１３】
このように、第２のレンズ群に大きな収差補正能力を持たせることにより、第１のレンズ群、特に、第１のレンズ群の最もスクリーン側の第１のレンズのパワーを小さくすることができる。すなわち、最もスクリーン側の第１のレンズの焦点距離ｆ１１とし、当該投写用レンズシステムの合成焦点距離ｆｗとしたときに、次の条件（Ａ）を満たすことができる。
｜ｆ１１／ｆｗ｜  ＜０．１      ・・・（Ａ）
【００１４】
この第１のレンズのパワーをこの範囲に収めることにより、第１のレンズとして、低コストな負の非球面プラスチックレンズを使っても温度変動を抑制できる。したがって、より良好に収差が補正された広角レンズを提供できる。例えば、本発明により、半画角が４７度以上の広角で結像性能の良いレンズシステムを提供できる。
【００１５】
この非テレセントリックなレンズシステムは、上述したようにＤＭＤなどの、光の反射方向を変えて画像を生成する複数の素子を備えた光変調器からの投影光をスクリーンに投写する投写用レンズに適している。そして、非常に広角でコンパクトな本発明の投写用レンズシステムを、光変調器と、この光変調器に光を照射する光照射系と共に採用することにより、コンパクトで大きなスクリーンを備え、鮮明な大画像を映し出すことができるプロジェクタ装置を提供できる。
【発明を実施するための最良の形態】
【００１６】
図１に、ＤＭＤをライトバルブとして採用したプロジェクタの概略構成を示してある。このプロジェクタ１は、光変調器（ライトバルブ）であるＤＭＤ２と、このＤＭＤ２に変調用の照明光１１を照射するシステム３と、ＤＭＤ２により有効な方向に反射された投影光１０をスクリーン９に投写する投写用レンズシステム５とを備えている。図１に示したプロジェクタ１は、単板式のビデオプロジェクタであり、光照射システム３は、ハロゲンランプなどの白色光源６と、円盤型の回転色分割フィルタ７とを備えている。このため、ＤＭＤ２には、赤、緑、青の３原色が時分割で照射される。そして、それぞれの色の光が照射されるタイミングで個々の画素に対応する素子を制御することによりカラー画像が表示される。光照射システム３は、さらに、光源６からの光を集光して非テレセントリックな照明光１１を、ミラー４などを介してＤＭＤ２に出力する照明レンズシステム８を備えている。
【００１７】
図２に、本発明に係る投写用レンズシステム５の一例を示してある。本例の投写用レンズシステム５は、スクリーン９の側から２つのレンズ群Ｇ１およびＧ２にグループ化された１４枚のレンズＬ１１〜Ｌ３１により構成されている。それぞれのレンズの詳細なデータは以下に示した通りである。
【００１８】
スクリーン側の第１のレンズ群Ｇ１は全体が負の屈折力を備えたレンズ群であり、最もスクリーン側（前方）に位置し、スクリーン９の側に凸の負のメニスカスレンズＬ１１およびＬ１２と、両凹の負レンズＬ１３とにより構成されている。最もスクリーン９の側のレンズＬ１１はプラスチックレンズであり、その両面Ｓ１およびＳ２は非球面である。
【００１９】
ＤＭＤ２の側に位置する第２のレンズ群Ｇ２は、全体が正の屈折力を備えたレンズ群であり、両凸の正レンズＬ２１およびスクリーン９の側に凹の負のメニスカスレンズＬ２２からなる２枚貼合わせレンズＤ１と、スクリーン９の側に凸の負のメニスカスレンズＬ２３および両凸の正レンズＬ２４からなる２枚貼合わせレンズＤ２と、スクリーン９の側に凹の負のメニスカスレンズＬ２５と、両凸の正レンズＬ２６、両凹の負レンズＬ２７および両凸の正レンズＬ２８からなる３枚貼合わせレンズＴＬと、スクリーン９の側に凸の負のメニスカスレンズＬ２９および両凸の正レンズＬ３０からなる２枚貼合わせレンズＤ３と、両凸の正レンズＬ３１とにより構成されている。
【００２０】
したがって、本例のレンズシステム５の第２のレンズ群Ｇ２は、３つの２枚貼合わせレンズ（バルサムレンズあるいはダブレット）Ｄ１、Ｄ２およびＤ３と、１つの３枚貼合わせレンズＴＬとを備えている。そして、スクリーン側の２枚貼合わせレンズＤ１およびＤ２により、接合面Ｓ８およびＳ１１が逆方向を向いた屈折力が正の２枚貼合わせレンズのペアＰＬが構成されている。
【００２１】
以下に示すレンズデータにおいて、ｒｉはスクリーン側から順番に並んだ各レンズの面Ｓ１〜Ｓ２４の曲率半径（ｍｍ）、ｄｉはスクリーン側から順番に並んだ各レンズ面Ｓ１〜Ｓ２４の間の距離（ｍｍ）、ｎｄはスクリーン側から順番に並んだ各レンズの屈折率（ｄ線）、νｄはスクリーン側から順番に並んだ各レンズのアッベ数（ｄ線）を示す。また、ＴｙｐｅのＳＰＨは球面を示し、ＡＳＰは非球面を示す。
【００２２】
レンズデータ
Ｎo.     ri      Type     di      nd      νd
1   281.95300   ASP    5.5000   1.52500  56.20    レンズＬ１１
2    51.33900   ASP    9.3000
3    45.01100   SPH    2.6000   1.67000  47.20    レンズＬ１２
4    16.60000   SPH   12.5000
5   -63.65800   SPH    2.1000   1.74300  49.40    レンズＬ１３
6    22.83100   SPH   15.2000
7    41.78900   SPH   11.2000   1.67300  32.10    レンズＬ２１（Ｄ１）
8   -22.79800   SPH    2.0000   1.84700  23.80    レンズＬ２２
9   -41.29200   SPH   13.0000
10    64.54300   SPH    1.8000   1.77300  49.60    レンズＬ２３（Ｄ２）
11    12.22400   SPH    7.5000   1.62000  36.30    レンズＬ２４
12  -138.54600   SPH    3.0000
13   -24.63200   SPH    1.7000   1.84700  23.80    レンズＬ２５
14   -72.50900   SPH    0.4000
15    20.67200   SPH    5.8000   1.62000  36.30    レンズＬ２６（ＴＬ）
16   -20.67200   SPH    1.8000   1.83400  37.20    レンズＬ２７
17    24.82500   SPH    4.9000   1.51600  64.10    レンズＬ２８
18   -24.82500   SPH    0.3000
19    62.08500   SPH    1.7000   1.83400  37.20    レンズＬ２９（Ｄ３）
20    15.18000   SPH    4.6000   1.48700  70.20    レンズＬ３０
21   -57.34100   SPH    0.3000
22    52.39300   SPH    3.0000   1.48700  70.20    レンズＬ３１
23   -52.39300   SPH   35.6600
【００２３】
最もスクリーン側のレンズＬ１１の両面Ｓ１およびＳ２の非球面係数は以下の通りである。
面Ｓ１
Ｒ＝  ２８１．９５３、  Ｋ＝０．００００
Ａ＝  １．３６４４×１０−５、  Ｂ＝−１．０４９４×１０−８
Ｃ＝  ７．２５８６×１０−１２、  Ｄ＝−２．０６５２×１０−１５
ただし、非球面は、Ｘを光軸方向の座標、Ｙを光軸と垂直方向の座標、光の進行方向を正とし、Ｒを近軸曲率半径とし、上記の係数Ｋ、Ａ、Ｂ、Ｃ、Ｄを用いて次式で表される。以下においても同様である。
Ｘ＝（１／Ｒ）Ｙ2／［１＋｛１−（１＋Ｋ）（１／Ｒ）2Ｙ2｝1/2］
＋ＡＹ4＋ＢＹ6＋ＣＹ8＋ＤＹ10 
面Ｓ２
Ｒ＝  ５１．３３９、  Ｋ＝０．００００
Ａ＝  １．００２６×１０−５、  Ｂ＝−２．３５０９×１０−９
Ｃ＝−１．２５６９×１０−１１、  Ｄ＝  ６．７６１８×１０−１５
【００２４】
本例の投写レンズ５の諸数値は以下の通りである。
レンズＬ１１の面Ｓ１からスクリーンまでの距離：１１００ｍｍ
合成焦点距離：    １０．１ｍｍ
半画角：          ４７．３度
バックフォーカス：３５．６６ｍｍ
レンズＬ１１の焦点距離：  １２０．２ｍｍ
【００２５】
したがって、上述した条件（Ａ）は以下のようになる。
｜ｆ１１／ｆｗ｜＝０．０８４
【００２６】
図３に、この投写用レンズシステム５の球面収差、非点収差および歪曲収差を示してある。球面収差は、６７０．０ｎｍ（短破線）、６５０．０ｎｍ（一点鎖線）、５５０．０ｎｍ（実線）、４５０．０ｎｍ（長破線）、４４０．０ｎｍ（二点鎖線）の各波長における値を示している。また、非点収差においては、サジタル光線（Ｘ）およびタンジェンシャル光線（Ｙ）の収差を示してある。これらの図に示してあるように、本例の投写用レンズシステム５の縦収差はほぼ±０．１ｍｍ程度の範囲に入り、収差が非常に良好に補正されていることが分かる。
【００２７】
図４に、本例の投写用レンズシステム５を通ってスクリーン９に投影される投影光１０の一部を示してある。本例の投写用レンズ５は、負のパワーの第１のレンズ群Ｇ１と、正のパワーの第２のレンズ群Ｇ２が組み合わされたレトロフォーカス型のレンズであり、ライトバルブ２から投影光１１が入射される側がライトバルブ２の側に主光線が広がる非テレセントリックになっている。さらに、第２のレンズ群Ｇ２のスクリーン９の側に、接合面Ｓ８およびＳ１１が相互に逆方向を向いた、屈折力が正の２枚貼合わせレンズＤ１およびＤ２のペアＰＬが配置され、ライトバルブ２の側に、屈折力が正の３枚貼合わせレンズＴＬと、屈折力が正の２枚貼合わせレンズＤ３とが配置された構成になっている。これらの２枚貼合わせレンズＤ１、Ｄ２およびＤ３と、３枚貼合わせレンズＴＬとは、貼合わせレンズとしてのパワーは正なので、パワー配分としては、スクリーン９の側から、正−正−負−正−正−正の６枚のレンズ構成と同等である。したがって、これらの貼合わせレンズＤ１、Ｄ２、Ｄ３およびＴＬは、全体が正のパワーの第２のレンズ群Ｇ２に適合しており、第２のレンズ群Ｇ２の長さを延ばさずに、１１枚と多数枚のレンズを配置することができる。
【００２８】
接合面Ｓ８およびＳ１１が逆方向を向いた、２枚貼合わせレンズＤ１およびＤ２のペアＰＬは、色収差を補正するのに適していると共に、貼合わせレンズＤ１およびＤ２の内部に備えた逆方向を向いた面Ｓ８およびＳ１１の曲率をある程度確保することによりペッツバール和を効果的に小さくしている。したがって、２枚貼合わせレンズＤ１およびＤ２のペアＰＬは像面湾曲の補正に適している。さらに、第１のレンズＧ１に対する入射光線が広がる第２のレンズ群Ｇ２のスクリーン９の側に配置することにより、これらのレンズＤ１およびＤ２の周辺部を用いて、軸外光線の色収差を効果的に補正できるようにしている。また、この貼合わせレンズＤ１およびＤ２のペアＰＬは、対称的なレンズ配置になるのでコマ収差などの他の諸収差の補正も良好に行うことができる。
【００２９】
３枚貼合わせレンズＴＬは、トリプレットを構成する正−負−正のレンズを貼り合わせた構成となっている。したがって、貼合わせレンズＴＬの内部には、逆方向を向いた曲率の大きな面Ｓ１６およびＳ１７を形成できるので、コンパクトなレンズでペッツバール和を効果的に小さくできる。さらに、入射側が非テレセントリックな投写レンズシステム５の入射側の光線が集中する箇所に３枚貼合わせレンズＴＬを配置することにより、３枚貼合わせレンズＴＬの径を小さくして、コストを下げることができる。光軸上に光線が集中する場所に配置することにより、内部の接合面Ｓ１６およびＳ１７の曲率を大きくすることがペッツバール和を小さくすることにいっそう効果的となり、像面湾曲をいっそう良好に補正できる。また、３枚貼合わせレンズＴＬは、対称的なレンズ配置になるのでコマ収差などの他の諸収差の補正も良好に行うことができる。さらに、３枚貼合わせレンズＴＬは、ゴーストの発生を防止でき、軸上および倍率色収差を効果的に補正できるという特性を備えている。
【００３０】
さらに、３枚貼合わせレンズＴＬのライトバルブ２の側に、２枚貼合わせレンズＤ３を配置している。３枚貼合わせレンズＴＬのライトバルブ２の側は、ライトバルブ２からの入射光、特に軸外光が光軸からまだ離れた状態にあり、２枚貼合わせレンズＤ３を配置することにより、入射側において色収差を含めて、他の収差を効果的に補正することができる。
【００３１】
このように、本例の投写用レンズシステム５では、入射側を非テレセントリックにすることにより第２のレンズ群Ｇ２の径を小さくすると共に、レンズシステム５の全長を短くし、さらに、第２のレンズ群Ｇ２に上記のように２枚貼合わせレンズおよび３枚貼合わせレンズを配置することによりその収差補正能力、特に像面湾曲の補正能力を大きくしている。したがって、コンパクトで、大きな画像を鮮明に投影できる、広角な投写用レンズシステムを提供することが可能となっており、本例では半画角が４７度を超える性能が得られている。
【００３２】
さらに、第２のレンズ群Ｇ２の像面湾曲などの収差の補正を高くすることにより、第１のレンズ群Ｇ１の収差補正の負荷を低減でき、第１のレンズ群Ｇ１のパワー、特に、大口径となる、最もスクリーン９の側のレンズＬ１１のパワー配分を小さくできる。したがって、最もスクリーン側の第１のレンズＬ１１を、プラスチックレンズを用いて低コストで製造でき、レンズシステム５の結像性能に対するレンズＬ１１の温度変化による影響も低く抑えることができる。したがって、温度変化に対して安定した性能を備えた広角で、コンパクトなレンズシステムを提供できる。
【００３３】
この投写レンズシステム５を用いたプロジェクタ１においては、スクリーン９の近くから大画像を投影することが可能であり、大画面を備えたコンパクトなプロジェクタを提供できる。特に、リア型のプロジェクタ１においては、ハウジング内に、照明系３、ライトバルブ２、投写レンズシステム５、スクリーン９が収納されるので、投写レンズシステム５からスクリーン９までの距離を小さくすることはプロジェクタ１を全体的にコンパクトにするのに効果的である。さらに、ハウジング内の温度が高くなっても、本例の投写レンズシステム５においては結像性能の低下はほとんどなく、スクリーンに高画質の大画像を安定して出力することができる。
【図面の簡単な説明】
【００３４】
【図１】本発明に係るプロジェクタ装置の概略構成を示す図である。
【図２】本発明の投写用レンズシステムの構成を示す図である。
【図３】図２に示す投写用レンズシステムの縦収差図を示す図である。
【図４】図２に示す投写用レンズシステムを通過する光線の一部を示す図である。
【符号の説明】
【００３５】
１    プロジェクタ
２    ＤＭＤ（ライトバルブ、光変調装置）
３    光照射システム（照明系）
５    投写用レンズシステム
９    スクリーン
【図１】
2006215476.tif 000003
【図２】
2006215476.tif 000004
【図３】
2006215476.tif 000005
【図４】
2006215476.tif 000006